(57)【要約】  本明細書は、多機能ＣＳＰ（ＭＣＳＰ）と、顧客建物の内部に装着するように構成されたＭＣＳＰ／ＯＮＴアセンブリとを説明した。ＭＣＳＰ／ＯＮＴアセンブリにおいて、ＭＣＳＰサブユニットとＯＮＴサブユニットとが積み重ねられ、直接一緒に取り付けられる。ＭＣＳＰ／ＯＮＴアセンブリは、標準ＣＳＰ箱およびＯＮＴ箱の機能を組み合わせ、それにより、ビルディング・ケーブルの必要性を除去する。加えて、ＭＣＳＰサブユニットは、ＭＣＳＰ／ＯＮＴアセンブリに１つを超えるＯＮＴを統合するように構成される。ＭＣＳＰサブユニットは、背部箱、スプライス・トレー、およびカバーを含む。
2015528126.tif 000002
【特許請求の範囲】
【請求項１】
屋外設備（ＯＳＰ）ケーブルを顧客建物の内部の電気通信網に相互接続するための電気通信インタフェースであって、
ａ．多機能顧客スプライス点（ＭＣＳＰ）サブユニットと、
ｂ．光網端末装置（ＯＮＴ）サブユニットと
を含み、
前記ＭＣＳＰサブユニットおよび前記ＯＮＴサブユニットが一緒に取り付けられてＭＣＳＰ／ＯＮＴアセンブリを形成している、電気通信インタフェース。
【請求項２】
前記ＭＣＳＰと前記ＯＮＴとが積み重ねられている、請求項１に記載の電気通信インタフェース。
【請求項３】
前記ＭＣＳＰ／ＯＮＴアセンブリが顧客建物の内部にマウントされている、請求項２に記載の電気通信インタフェース。
【請求項４】
前記ＭＣＳＰおよび／または前記ＯＮＴには、前記ＭＣＳＰおよび前記ＯＮＴを一緒に固定するための締結具が備えられている、請求項３に記載の電気通信インタフェース。
【請求項５】
前記ＭＣＳＰと前記ＯＮＴとが積み重ねられている、請求項４に記載の電気通信インタフェース。
【請求項６】
スプライスされていない光ファイバが、前記ＭＣＳＰサブユニットと前記ＯＮＴサブユニットとを接続する、請求項５に記載の電気通信インタフェース。
【請求項７】
２つ以上のＯＮＴサブユニットが前記ＭＣＳＰサブユニットに取り付けられている、請求項５に記載の電気通信インタフェース。
【請求項８】
前記ＭＣＳＰサブユニットが、背部箱、スプライス・トレー、およびカバーを含む、請求項５に記載の電気通信インタフェース。
【請求項９】
前記ＭＣＳＰが顧客建物の内壁に取り付けられ、前記ＯＮＴが前記ＭＣＳＰに取り付けられている、請求項８に記載の電気通信インタフェース。
【請求項１０】
前記ＯＮＴが、前記ＭＣＳＰの前記カバーを通って延びるねじ部材で前記ＭＣＳＰの前記背部箱に取り付けられている、請求項９に記載の電気通信インタフェース。
【請求項１１】
前記スプライスされていないファイバが、前記ＭＣＳＰサブユニットの４つの長さよりも短い長さを有する、請求項６に記載の電気通信インタフェース。
【発明の詳細な説明】
【技術分野】
【０００１】
関連出願
本出願は、参照により明細書に組み込まれる２０１２年６月２８日に出願された米国仮特許出願第６１／６６５，５６５号の利益を主張する。
【０００２】
本発明は、光網終端装置のためのコネクタ箱に関する。コネクタ箱は、受動光網（ＰＯＮ）の引込み線敷設のために特別に構成される。
【背景技術】
【０００３】
（この背景技術の一部は、先行技術の一部を成すこともあり成さないこともある。）市内電話およびケーブル・サービス・プロバイダからのファイバ・ツー・ザ・プレミシズ（ＦＴＴＰ）は、急速に成長している技術である。このサービスは、地域および街路に敷設される市内光ファイバ配線ケーブルを含む広帯域光ファイバ分配網を必要とする。これらは、通常、受動光網（ＰＯＮ）と呼ばれる。単一ファイバまたは少心ファイバ・ケーブルが、街路から建物までの「引込み」線で使用される。引込み線は、時には、屋外設備（ＯＳＰ）ケーブルと呼ばれる。
【０００４】
ＯＳＰケーブルは、一般に、顧客建物の場所の外壁に装着された顧客スプライス点モジュール（ＣＳＰ）で終端される。そこから、建物ビルディング・ケーブルを使用して、ビルディングの外側のＣＳＰは、屋内壁にマウントされた光網端末装置（ＯＮＴ）に接続される。建物ビルディング・ケーブルは、一般に、顧客建物の壁を通って入り込む。
【０００５】
ＯＮＴ、ＰＯＮ、ＣＳＰという用語は、電気通信標準化部門（ＩＴＵ−Ｔ）によって指定されている。ＩＴＵ−Ｔは、国際電気通信連合（ＩＴＵ）の３つの部門（ディビジョンまたはユニット）のうちの１つである。これらの部門は、電気通信のための標準を調整している。したがって、これらの指定は、当技術分野でよく知られており、認識されており、本明細書では標準の意味で使用される。
【発明の概要】
【課題を解決するための手段】
【０００６】
発明者等は、多機能ＣＳＰ（ＭＣＳＰ）と、顧客建物の内部にマウントするように構成されたＭＣＳＰ／ＯＮＴアセンブリとを設計した。ＭＣＳＰ／ＯＮＴアセンブリにおいて、ＭＣＳＰサブユニットとＯＮＴサブユニットとが積み重ねられ、直接一緒に取り付けられる。ＭＣＳＰ／ＯＮＴアセンブリは、標準ＣＳＰ箱およびＯＮＴの機能を組み合わせ、それにより、ビルディング・ケーブルの必要性を除去する。加えて、ＭＣＳＰサブユニットは、ＭＣＳＰ／ＯＮＴアセンブリに１つを超えるＯＮＴを統合するように構成される。ＭＣＳＰサブユニットは、背部箱（back box）、スプライス・トレー、およびカバーを含む。
【０００７】
本発明は、図面の助けにより、より明確に説明することができる。
【図面の簡単な説明】
【０００８】
【図１】スプライス・トレーが開いた状態の部分的分解図で、ＭＣＳＰ箱の３つの要素、すなわち、背部箱、スプライス・トレー、およびカバーを示すＭＣＳＰサブユニットの斜視図である。
【図２】ＭＣＳＰサブユニットの背部箱の斜視図である。
【図３】ＭＣＳＰサブユニットのスプライス・トレーの斜視図である。
【図４】ＭＣＳＰサブユニットの前面カバーの斜視図である。
【図５】スプライス・トレーが閉じた状態の部分的分解図で、３つの要素、すなわち、背部箱、スプライス・トレー、およびカバーを示すＭＣＳＰサブユニットの斜視図である。
【図６】カバーが閉じた状態で、背部箱、スプライス・トレー、およびカバーを示すＭＣＳＰサブユニットの斜視図である。
【図７】本発明のＭＣＳＰ／ＯＮＴアセンブリの概略図である。
【図８】ＭＣＳＰ／ＯＮＴアセンブリの輪郭を定めるときに使用される寸法特徴を示す図である。
【発明を実施するための形態】
【０００９】
図面を参照すると、図１は、明瞭にするために分解されたＭＣＳＰサブユニットの斜視図であり、背部箱１１、スプライス・トレー１２、およびカバー１３を示す。スプライス・トレーは、ヒンジ１５により背部箱に取り付けられる。ＭＣＳＰサブユニットは、標準ＣＳＰに機能的に類似しているが、１つまたは複数のＯＮＴサブユニットに取り付くように変更されている。
【００１０】
図２は、背部箱内で光ファイバを引き回すための浮き出したチャネル機構、例えば、チェース（ｃｈａｓｅ）２１を示すＭＣＳＰサブユニットの背部箱の斜視図である。図２は、さらに、背部箱を顧客建物にマウントするのに使用するいくつかの孔のうちの１つを２３で示している。
【００１１】
図３は、ＭＣＳＰサブユニットのスプライス・トレーをさらに詳細に示す。ＭＣＳＰスプライス・トレーをＭＣＳＰ背部箱に取り付けるためのヒンジが、１５で示される。図４は前面カバーをより詳細に示す。図５は、スプライス・トレーが閉じており、カバーが分解されている状態でのＭＣＳＰ背部箱およびＭＣＳＰスプライス・トレーを示す。図６は、閉じたＭＣＳＰサブユニットを示す。ＭＣＳＰ箱の内部の細部は、多種多様な構成および内部機能を有することができることを理解されたい。ここで示したものは、好ましい例のものである。すなわち、好ましい例は、背部箱を有するＭＣＳＰサブユニットと、トレーが背部箱の内外に交互に折り返すことができるようにヒンジで背部箱に取り付けられた本質的に平坦なトレーと、ＭＣＳＰサブユニットを密閉するための前面カバーとを含む。
【００１２】
本発明のＭＣＳＰ／ＯＮＴアセンブリが、図７に概略的に示される。ＭＣＳＰサブユニットは７１で示され、積み重ねられたＯＮＴサブユニットが７２で示される。サブユニットは、締結具（fastener）７４で一緒に取り付けられる。オプションの追加のＯＮＴサブユニットが、破線で７５で示され、ＯＮＴサブユニット７２に取り付けられており、さらに７６でＭＣＳＰサブユニット７１の他方の側に取り付けられている。
【００１３】
光ファイバ・ケーブル７８は、ＭＣＳＰおよびＯＮＴの両方に接続される。他の相互接続、例えば、ＭＣＳＰサブユニットをＯＳＰに相互接続するケーブル、およびＯＮＴサブユニットから顧客網までのケーブルおよびワイヤ接続は、明瞭にするために示されていない。この設置では、ＭＣＳＰサブユニットとＯＮＴサブユニットとを接続するケーブルの光ファイバは中断されなくてもよい、すなわち、スプライスされていないことが認識されよう。
【００１４】
図８は、本発明のＭＣＳＰ／ＯＮＴアセンブリの輪郭を定める際に有用なパラメータを説明するために付け加えられる。それは、一般に、長さＬ、幅ｗ、および厚さｔを有する箱を示す。箱は、一般に認められた普通の意味によれば、平坦な底面、４つの側面、およびカバーを有する容器である。底面およびカバーは、ほぼ一致する長さおよび幅を有する。側面は厚さｔを有する。要素は、四角形であり、名目上は直線からなる。いくつかの要素は正方形とすることができる。いくつかの同等の設計は、円形形状または他の都合のよい形状を有することが可能である。
【００１５】
典型的なＣＳＰおよびＯＮＴサブユニットでは、ｔはｗまたはＬよりも小さい。したがって、これらのサブユニットの側面は長方形である。底面およびカバーは、正方形または長方形とすることができる。それらは、四角形と定義される。
【００１６】
積重ね配列は、様々な形態をとることができることを理解されたい。図７は少しのオプションを示す。他のオプションでは、ＯＮＴサブユニット７２および７５はより小さくすることができ、両方はＭＣＳＰ７１に横並びに取り付けられる。ＯＮＴサブユニットは、長さがＭＳＣＰサブユニットと平行または垂直のいずれかで積み重ねることができる。好ましい積重ね配列では、ＯＮＴサブユニットは、ＯＮＴサブユニットがＭＣＳＰサブユニットのカバーまたは他の部分に取り付けられた状態で積み重ねられる。ＯＮＴサブユニットをＭＣＳＰサブユニットにカバー対カバーで取り付けることができ、または一方のサブユニットの底面を他方のサブユニットのカバーに取り付けることができる。積み重ねられるおよび取り付けられるという用語は、通常、一方のサブユニットの長さ／幅面が他方のサブユニットの長さ／幅面に取り付けられるとして解釈されるであろう。サブユニットの一方または両方、すなわち、ＭＣＳＰサブユニットおよび／またはＯＮＴサブユニットには、ＭＣＳＰサブユニットとＯＮＴサブユニットとを一緒に取り付けてＭＣＳＰ／ＯＮＴアセンブリを形成するために１つまたは複数の締結具が備えられている。締結具は、様々な形態、例えば、接着剤、ベルクロ、ねじ要素、ツイストロック、プレス／スナップ嵌め、または２つの箱を保持する等価な機能を実行する任意の手段のうちの１つまたは複数を有することができる。箱は、相互に接触してもまたは互いにすぐ近くにあってもよい。すぐ近くにとは、本発明の文脈では、最も大きい箱の単一の長さ以内を意味する。
【００１７】
前に示唆したように、ＯＮＴおよびＭＣＳＰサブユニットのサイズおよび形状は、広範囲に変わることができる。これらの容器は、通常、箱に成形されるが、他の形状を有することができる。底面、側面、およびカバーは、直線からなることができ、または閉包を達成するかまたは容器を封止するのに役立つように折り返し、リップ、リッジなどを有することができる。例えば、図１に示したＭＣＳＰサブユニットの底面、側面、およびカバーは、正確には長方形でない。上述の箱は、底面およびカバーを有する。代替として、箱は、側面および２つのカバーを有することができる。
【００１８】
前に説明したように、ＭＣＳＰ／ＯＮＴアセンブリは、顧客建物の内部に設置されるように構成される。先行技術の設置では、壁貫通相互接続がＣＳＰとＯＮＴとの間で行われている。「壁」は、顧客建物の壁を指す。本発明によるＭＣＳＰ／ＯＮＴアセンブリを使用することにより、その壁貫通相互接続は除去され、それにより、ＭＣＳＰとＯＮＴとの間の一般的により短い経路相互接続が可能になる。したがって、図７の光ファイバ７８は、例えば、ＭＣＳＰサブユニットの４つの長さよりも短い長さを有することができる。
【００１９】
当業者は、本発明の様々な他の変更を思いつくであろう。当技術分野を進展させてきた原理およびその均等物に基本的に依存する本明細書の特定の教示からのすべての逸脱は、説明され特許請求されている本発明の範囲内にあると正当に見なされる。
【図１】
2015528126.tif 000003
【図２】
2015528126.tif 000004
【図３】
2015528126.tif 000005
【図４】
2015528126.tif 000006
【図５】
2015528126.tif 000007
【図６】
2015528126.tif 000008
【図７】
2015528126.tif 000009
【図８】
2015528126.tif 000010
【国際調査報告】
2015528126.tif 000011